(57)【要約】【課題】ベース６に設ける軸受部材２６を利用して下カバー体５ｂを簡単に着脱できるようにした椅子を提供する。【解決手段】脚で支持されたベース６内にてコイルばね３０にて付勢される第１軸９は、ベース６の左右両側板６ａに穿設された長孔２５に装着した樹脂製の軸受部材２６前後スライド自在に挿通される。軸受部材２６は、軸受ブッシュ部２６ｂの一方の端部に外周方向に延びる矩形状等のフランジ部２６ａと、フランジ部２６ａの外周面に、側板６ａの外面と直交する方向から見て上下対称位置及び左右対称位置に外向きに突出する４つの係止爪４５とを備える。下カバー体５ｂの内面前部の左右両側に設けられた内向き突片４６は、下カバー体５ｂをベースの下面方向から押し上げるとき、所定位置の１つの係止爪４５に係止して下カバー体５ｂが脱落不能となる。【選択図】図１０
2013106700.tif 000002
【特許請求の範囲】
【請求項１】
脚で支持されたベースと、前記ベースの上方に配置されると共にばね手段に抗して後傾動又は後退動若しくは両方の動きを行い得る座部と、前記座部の後方に配置した背もたれとを備えた椅子であって、
前記ばね手段の一端を支持する軸が前記ベースの左右両側板を貫通する個所に、前記軸のための軸受部材を嵌挿し、
前記軸受部材における軸受けブッシュ部の外周に形成されたフランジ部には、係止爪が設けられ、前記ベースの下側の外周面を覆う下カバー体に設けられた内向き突片を前記係止爪に係止して下カバー体を脱落不能に支持する、椅子。
【請求項２】
座部を第１軸で脚で支持されたベースの前部寄り部位に連結すると共に、座部のうち第１軸よりも後方の部位を前記ベース又は他の部材に連結し、
背もたれは、前記ベースに後傾動自在に第２軸で連結された背フレームに取り付けられており、前記背フレームの前後中途部と前記座部とを第３軸で連結しており、更に、前記第１軸は前記ベースの左右両側板に嵌まっている穴を長孔とすることにより、前記背もたれと前記座部とが連動することを許容する椅子であって、
前記長孔には、前記第１軸のための軸受部材を嵌挿し、
前記軸受部材における軸受けブッシュ部の外周に形成されたフランジ部には、係止爪が設けられ、前記ベースの下側の外周面を覆う下カバー体に設けられた内向き突片を前記係止爪に係止して下カバー体を脱落不能に支持する、椅子。
【請求項３】
前記係止爪は前記フランジ部に、上下対称位置及び左右対称位置に合計４箇所に設けられている、請求項１または２に記載の椅子。
【請求項４】
前記各係止爪は前記フランジ部に外向きに突出形成されている、請求項１乃至３のいずれかに記載の椅子。
【発明の詳細な説明】
【技術分野】
【０００１】
本発明は、椅子に関するものである。
【背景技術】
【０００２】
例えば事務用の回転椅子は、脚支柱の上端にベースを固定し、ベースで座を支持する共に、ベースに後傾動可能に連結した背フレームを取り付けた基本構造になっており、背フレームの後傾動をばねで支持している。そして、背もたれが後傾動するとこれに連動して座が後退動又は後傾動若しくは両方を行うシンクロタイプのものが多用されている。
【０００３】
座と背もたれとを連動させるシンクロ機構には何種類かある。例えば、座が背もたれの後傾動に連動して後退しつつ後傾するタイプの場合の一例として、座を受ける中間部材をベースの前部に第１軸で連結すると共に、中間部材と背フレームとを第３軸とで連結し、更に、ベースにおいて第１軸が嵌まる穴を前後方向に長い長穴としたものがある。
【０００４】
背もたれの後傾動に連動して座が後傾動のみするタイプとしては、第１軸はベースに対して回転のみ行うように連結する一方、背フレームをベースにガイド軸で取り付けるにおいて、金属製のベースの左右両側板に設けられた取り付け穴を長穴とすることによって背フレームの後傾動と座の後傾動とを連動させたものがある。
【０００５】
特許文献１では、長穴状の取り付け穴に合成樹脂製のブッシュを嵌挿することにより、ガイド軸との摺動抵抗を少なくして騒音の発生を少なくすることが開示されている。
【０００６】
他方、ベースの下面を覆う下カバー体の取付け構造として、特許文献２では、下カバー体の前端部を座アウターシェルまたはベースの前端に係止爪で係止する一方、下カバー体の後端部の係止爪等をベースの後端や背もたれアウターシェルの取付け個所に係止する構成があった。
【先行技術文献】
【特許文献】
【０００７】
【特許文献１】特開２０１１−１６１１２３号公報（図８〜図１０参照）
【特許文献２】特開２００３−１８９９６６号公報（図１０参照）
【発明の概要】
【発明が解決しようとする課題】
【０００８】
しかしながら、特許文献２の構成で、下カバー体の左右巾寸法が座アウターシェルの巾寸法より比較的短い場合、座アウターシェルに係止爪のための取付け用の穴を設けなければならず、ベースに下カバー体を取り付けるにしても、通常金属製のベースに取付け個所を設ける必要があり、いずれにしても、下カバー体を下方から取付けるための構造を座アウターシェルまたはベースに配置するには、特別の工夫が必要である。また、ベース内の部品の交換などのため下カバー体を取り外すための工夫が必要であった。
【０００９】
本願発明は、上記課題を解決するためになされたもので、ベースに設ける軸受部材を利用して下カバー体を簡単に着脱できるようにした椅子を提供することを目的とするものである。
【課題を解決するための手段】
【００１０】
前記目的を達成するため請求項１の発明は、脚で支持されたベースと、前記ベースの上方に配置されると共にばね手段に抗して後傾動又は後退動若しくは両方の動きを行い得る座部と、前記座部の後方に配置した背もたれとを備えた椅子であって、前記ばね手段の一端を支持する軸が前記ベースの左右両側板を貫通する個所に、前記軸のための軸受部材を嵌挿し、前記軸受部材における軸受けブッシュ部の外周に形成されたフランジ部には、係止爪が設けられ、前記ベースの下側の外周面を覆う下カバー体に設けられた内向き突片を前記係止爪に係止して下カバー体を脱落不能に支持するものである。
【００１１】
請求項２の発明は、座部を第１軸で脚で支持されたベースの前部寄り部位に連結すると共に、座部のうち第１軸よりも後方の部位を前記ベース又は他の部材に連結し、背もたれは、前記ベースに後傾動自在に第２軸で連結された背フレームに取り付けられており、前記背フレームの前後中途部と前記座部とを第３軸で連結しており、更に、前記第１軸は前記ベースの左右両側板に嵌まっている穴を長孔とすることにより、前記背もたれと前記座部とが連動することを許容する椅子であって、前記長孔には、前記第１軸のための軸受部材を嵌挿し、前記軸受部材における軸受けブッシュ部の外周に形成されたフランジ部には、係止爪が設けられ、前記ベースの下側の外周面を覆う下カバー体に設けられた内向き突片を前記係止爪に係止して下カバー体を脱落不能に支持するものである。
【００１２】
請求項３の発明では、請求項１または２において、前記係止爪は前記フランジ部に、上下対称位置及び左右対称位置に合計４箇所に設けられているものである。
【００１３】
請求項４の発明では、請求項１乃至３のいずれかにおいて、前記各係止爪は前記フランジ部に外向きに突出形成されているものである。
【発明の効果】
【００１４】
請求項１及び２の発明によると、下カバー体をベースの下面に近づけるように押し上げると、軸受部材におけるフランジ部に設けられた係止爪に、下カバー体の内面の内向き突片が係止して、下カバー体が脱落不能に装着されるので、下カバー体を簡単に着脱できる。そして、軸受部材に係止爪を設け、下カバー体の内面に内向き突片を設けるので、ベースを覆った状態では、係止部分が外から見えなくなる。
【００１５】
本願発明は、請求項２のように背もたれと座とが連動するシンクロタイプの椅子に特に好適である。
【００１６】
請求項３のように構成すると、軸受部材の取付け作業に誤りがなくなり、取付け作業が容易となる。また、軸受部材の製作費用が安くなると共に、部品管理も簡単になる。
【００１７】
請求項４のように構成すると、ベースに軸受部材を取付けた状態で、下カバー体を装着できる。
【図面の簡単な説明】
【００１８】
【図１】椅子の全体側面図である。
【図２】椅子の主要部材を表示した分離斜視図である。
【図３】ベースの下面左側から見た椅子の主要部材の斜視図である。
【図４】ベースの下面前方右側から見た椅子の主要部材の斜視図である。
【図５】座部と背フレームとの分離斜視図である。
【図６】座部と背フレームとの平面図である。
【図７】ベースと上カバー体及び下カバー体の分離斜視図である。
【図８】上カバー体を取り付けたベースの下面側からの斜視図である。
【図９】ベースと軸受部材と下カバー体の分離斜視図である。
【図１０】軸受部材に下カバー体を装着した状態の要部拡大断面図である。
【図１１】（Ａ）は軸受部材の平面図、（Ｂ）は同じく斜視図である。
【発明を実施するための形態】
【００１９】
次に、本発明の実施形態を図面に基づいて説明する。以下の説明で方向を示すため「前後」「手前」「後ろ」「左右」といった文言を使用するが、これらの文言はロッキング椅子（以下、単に椅子と称する）に着座した人の向き基準にしている。「正面視」は着座者と対向した方向から見た状態になる。
【００２０】
(1).椅子の基本構造
先ず、図１〜図５に基づいて椅子の基本構造を説明する。図１は椅子の側面図であり、この図に示すように、椅子は、キャスター付きの脚１と、座部２と、背もたれ３とを備えている。脚１は伸長自在及び回転自在でガスシリンダよりなる脚支柱４を備えており、脚支柱４は、放射状に延びる複数本の枝足を有する脚本体の中心部に嵌着されている。脚支柱４の上端にはベース６（図３〜図６に示す）が固定され、金属製のベース６の上下外側が上ベースカバー体５ａと下ベースカバー体５ｂとで囲われている。
【００２１】
座部２は、座クッション体７と座板（座インナーシェル）８とを備えており、座板８の前端部はベース６の前端部に第１軸９（前部軸）によって後傾動及び後退動自在に取り付けられている。座クッション体７はクロス等の表皮材で覆われている。上ベースカバー体５ａと下ベースカバー体５ｂと座板８はＰＰ（ポリプロピレン）等の合成樹脂材を素材とした射出成形品である。
【００２２】
背もたれ３における下部材である背フレーム１０の後上部はバックカバー体１２が取付けられている。バックカバー体１２の前面には背板１５が取付位置を上下に変更可能に設けられ、背板１５の前面に背クッション体１６が取付けられている（図１、図２参照）。座板８、バックカバー体１２及び背板１５はＰＯ等の合成樹脂材を素材とした射出成形品である。座クッション体７及び背クッション体１６にはクロス等の表皮材が張られている。
【００２３】
ベース６の後部寄り部位には背フレーム１０の前端部が第２軸１１によって回動可能に連結されており、更に、背フレーム１０のうち第２軸１１よりも後方の部位と座板８の後部とは第３軸（後部軸）１４によって相対回動可能に連結されている。このため、背もたれ３が後傾動するとこれに連動して座部２も一緒に後傾しつつ後退する。
【００２４】
背フレーム１０はバックカバー体１２の取付け部１０ａの下端から前方にのびる左右両側のアーム部２０を有し、両アーム部２０の前端に第２軸１１を回動可能に外嵌する軸受２１が設けられている。左右両側のアーム部２０の前後中途部を連結するための左右に延びるように一体的に形成されている補強部２２の上端の嵌合溝２２ａ（図６参照）には、金属製の丸パイプまたは丸軸状の第３軸１４が固定されている。このため、背フレーム１０の剛性は高く、ねじれ及び曲げ外力対する変形を非常に小さくできる。
【００２５】
なお、アーム部２０の前後中途部の外面には、オプション部品である肘掛け装置の基部の取付け部２３を有し（図２〜図５参照）、肘掛け装置を外した取付け部２３はキャップ２４（図１参照）を外嵌させて覆う。
【００２６】
図３〜図６に示すように、ベース６は上向きに開口した略函状の形態になっていて、ベース６のベース基板６ｂに穿設された取付け孔６ｄに脚支柱４の上端が固定されている。ベース６の左右両側板６ａにおける前寄り部位にて第１軸９を介して座板８が前後スライド自在に装着されている。また、この第１軸９は、後に詳述するように、ベース６の内部に配置されたロッキング用弾性支持手段に関連づけされる。
【００２７】
例えば図９、図１０に示すように、ベース６の左右両側板６ａには前後長手の長孔２５が形成されている。なお、長孔２５には左右両側板６ａの内側に延びる巾Ｗ１の荷重受け部（膨出部）２５ａが設けられている。この長穴２５に樹脂製の軸受部材２６を装着し、左右両軸受部材２６に左右長手の第１軸９が前後スライド自在に挿通されている。
【００２８】
第１実施例の軸受部材２６は、荷重受け部（膨出部）２５ａに嵌まる軸受ブッシュ部２６ｂと、軸受ブッシュ部２６ｂの一方の端部に外周方向に延びる矩形状等のフランジ部２６ａと、フランジ部２６ａの外周面に、側板６ａの外面と直交する方向から見て上下対称位置及び左右対称位置に外向きに突出する４つの係止爪４５が一体的に形成されている。なお、軸受ブッシュ部２６ｂのフランジ部２６ａから遠い位置の外周には抜け止め突起４７が形成されている（図９〜図１１参照）。
【００２９】
軸受部材２６は軸受ブッシュ部２６ｂを長孔２５に左右両側板６ａの外側から嵌め込んでおり、フランジ部２６ａがベース６の左右両側板６ａの外面に当接する。図７、図９、図１０に示すように、下カバー体５ｂの内面前部には左右両側に内向き突片４６が設けられ、下カバー体５ｂの内面後部には左右両側には、第２軸１１に下方から弾性的に抱持するΩ型の係合部４８が形成されている。なお、ベース６の後端に取付けられた支軸５０に、背もたれ用の別のガスシリンダ４９が装着されている場合には、この支軸５０に対するΩ型の第２係合部５１を設けて良い（図９、図１０参照）。
【００３０】
これにより、下カバー体５ｂを脚支柱４に沿わせて上昇させると、左右両側の軸受部材２６における前寄り下部（所定位置）の係止爪４５に内向き突片４６が乗り上げて脱落不能に装着される。下カバー体５ｂの後部は第２軸１１に係合部４８が、支軸５０に第２係合部５１がそれぞれ抱持して、ここも脱落不能に装着される。しかも、係止爪４５及び内向き突片４６は下カバー体５ｂの内面側に位置するので、外から見えない。なお、内向き突片４６の配置位置によっては、軸受部材２６における後寄り下部（所定位置）の係止爪４５に内向き突片４６が係止する構成でも良い。
【００３１】
図７、図８に示すように、上カバー体５ａには、内面の前後端に弾性的な係合爪５２、５３が複数設けられ、前係合爪５２はベース６の前壁上端のフランジ５４に、後係合爪５３はベース６の後端の後向き片５５にそれぞれ係合する。ベース６を覆った状態では、上カバー体５ａの外周下端縁と下カバー体５ｂの外周上端縁とが丁度合わさり、図２に示すように、ベース６は外から見えなくなる。
【００３２】
座板８の下面の左右両側には、軸受け部２７が一体的に形成されて、ここに第１軸９の両端が嵌まり、１軸９の両端は軸受け部２７によって、外側から見えない構成である。図３〜図５に示すように、軸受け部２７は、前後に長く前端が有底の溝レール２８を有する。左右両溝レール２８は相対向する面と後部２８ａが開放されているので、第１軸９の両端部を後部２８ａから前方に挿入できる。
また、左右両軸受け部２７の後部には第３軸１４の両端部を回動可能に支持するための後部軸受２９が一体的に形成されている。
【００３３】
［ロッキング用弾性支持手段］
図５〜図６に明示するように、ベース６の内部には、ロッキング用弾性支持手段の一例として、前後方向に伸縮するロッキングばね用のコイルばね３０（請求項でいうばね手段に相当）を配置している。他方、ベース６の後部には、左右両側板に連結された仕切り部３２の前面に装着された後部ばね受け支持装置３１が設けられている。
【００３４】
後部ばね受け支持装置３１は仕切り部３２の前面にて左右方向に摺動可能で左方向に行くに従って前方向に高い傾斜面を有する第１傾斜ブロック３３と、第１傾斜ブロック３３の傾斜面に摺接する第２傾斜ブロック３４とを備える。軸線周りに回転のみ可能に支持され、右側板６ａから横向きに突出する操作レバー３５は第１傾斜ブロック３４内の雌ねじに螺合され、操作レバー３５の右または左への回転に応じて第１傾斜ブロック３４が椅子の左または右方向に移動可能となっている。第２傾斜ブロック３４の前面にはコイルばね３０の後端を位置ずれ不能に受ける後部ばね受け部３４ａが形成され、後部ばね受け支持片である第２傾斜ブロック３４にてコイルばね３０の後部が後ろから支持されている。なお、コイルばね３０の付勢力により第２傾斜ブロック３４の片面は右側板６ａの内面に常時押圧された状態である。従って、上記の操作レバー３５の右または左への回転に応じて第２傾斜ブロック３４は椅子の前方向または後方へ移動し、コイルばね３０の伸縮量を調節できる。
【００３５】
また、コイルばね３０の前端は前部バネ受けブロック３６を介してベース６の前壁方向に第１軸９を付勢する。前部バネ受けブロック３６の後面には、コイルばね３０の前端の位置ずれを防止するための円筒状などの前部ばね受け部３７が形成される。
【００３６】
前部バネ受けブロック３６が第１軸９を左右方向に位置ずれしないように支持する構成として、第１軸９の軸線方向への位置ずれを防止する位置決め係合部３９は、前部バネ受けブロック３６の前面部に形成されるものであり、この位置決め係合部３９は、第１軸９の軸線方向の中途部に当該第１軸９の直径より短い寸法の装着凹所（不図示）に外嵌するように構成されているものである。
【００３７】
このように構成し、第１軸９の装着凹所にバネ受けブロック３６の位置決め係合部３９を外嵌させると、バネ受けブロック３６に対して第１軸９は軸線方向に位置ずれすることなく装着される。
【００３８】
以上の構成において、ロッキング状態では、背もたれ４が沈み込みながら後傾する。これと同時に座３は全体として後傾しながら後向きに移動する。ロッキング状態から身体を起こすと、背もたれ４及び座３はコイルばね３０によって元の状態に戻る。これらの場合、バネ受けブロック３６に対して、第１軸９は左右に位置ずれすることがない。
【００３９】
他の実施例として、ベース６の左右両側板６ａの孔に貫通する軸が前後移動しない場合、その孔に嵌まる軸受部材のフランジ部に４つの係止爪を突設して、これに内向き突片４６を脱落不能に係止させる構成でも良く、その場合も４つの係止爪を側板６ａの外面と直交する方向から見て上下対称位置及び左右対称位置に外向きに突出することができる。このように（第１実施例も同様）、対称位置に係止爪を形成することで、同じ軸受部材を左右両側の位置に適用することができ、且つ作業者が部品の取付け誤りをすることがなくなる。さらに、部品の製造費用も安くなり、管理も簡単になる。
【００４０】
各係止爪をフランジ部に外向きに突出形成する場合、各係止爪に内向き突片が摺接する側面（孔、 長孔より外径側の面）を図１１（Ｂ）に示すように凸湾曲面とすることで、内向き突片を係止方向に案内し易くなる。
【００４１】
本願発明は上記の実施形態の他にも様々に具体化できる。例えば本願発明はロッキングに際して座が後退（及び／又は後傾）するシンクロタイプの椅子にも適用できるし、背もたれのみが後傾する椅子にも適用できる。
【符号の説明】
【００４２】
２座部                                                                          ３背もたれ
４脚支柱
６ベース
８座板
９第１軸
１１第２軸
１４第３軸
２５長孔
２６軸受部材
２６ａフランジ部
４５係止爪
４６内向き突片
３０ロッキング用ばね手段の一例としてのコイルばね
【図１】
2013106700.tif 000003
【図２】
2013106700.tif 000004
【図３】
2013106700.tif 000005
【図４】
2013106700.tif 000006
【図５】
2013106700.tif 000007
【図６】
2013106700.tif 000008
【図７】
2013106700.tif 000009
【図８】
2013106700.tif 000010
【図９】
2013106700.tif 000011
【図１０】
2013106700.tif 000012
【図１１】
2013106700.tif 000013